(57)【要約】【課題】分な耐振性を有しながらも、車内の限られたスペースに情報端末を収容することができ、かつ、当該情報端末を車内の電子機器に簡易かつ確実に接続することが可能な車載固定構造を提供する。【解決手段】天井ビルトインタイプの車載固定構造１０００のコントローラ４００は、ハウジング部１００に収容されたブラケット２００を天井裏１１０から引き出す。その後、カード型ＰＣ１０がブラケット２００に収容されたことが検知されると、コントローラ４００は、引き出されたブラケット２００を天井裏１１０に戻した後、シャッタ２５０を閉鎖し、カード型ＰＣ１０と外部機器６００とを接続する。【選択図】図２
2019142251.tif 000002
【特許請求の範囲】
【請求項１】
天井裏に設けられたハウジング部と、前記ハウジング部に情報端末を収容するためのブラケットと、前記ハウジング部への前記ブラケットの収容または引き出しを規制するシャッタと、前記情報端末を検知する検知センサと、コントローラとを備えた車載固定構造であって、
前記コントローラは、
前記ハウジング部に収容された前記ブラケットを天井裏から引き出す第１制御部と、
前記検知センサによって、前記ブラケットに前記情報端末が収容されたことが検知された場合に、引き出された前記ブラケットを前記天井裏に戻して前記シャッタを閉鎖した後、
前記情報端末の後端部に向けて、外部機器のコネクタを押し込むことで、前記情報端末と前記外部機器とを接続する第２制御部と
を具備する、情報端末用の車載固定構造。
【発明の詳細な説明】
【技術分野】
【０００１】
本発明は、車内に情報端末を固定するための車載固定構造に関する。
【背景技術】
【０００２】
近年、スティック型パソコンやカード型パソコンといった情報端末が注目を集めている。これらの情報端末は、様々な用途が考えられており、例えば車のカーナビ装置などに接続することで高解像度な動画や音楽、ゲームなどを楽しむ、といったことが考えられる。
【０００３】
しかしながら、車に情報端末を設置するためには、振動対策などが必須となる。特に、情報端末と車内の電子機器（カーナビ装置など）を接続するコネクタ部分などにおいて、振動による接触不良や脱落などを防止する必要がある。
【０００４】
車内での振動を低減するために、例えば特許文献１には、過酷な環境下で使用される車載用の電子機器（ナビゲーション装置など）の函体内に、振動に弱いハードディスクドライブ（ＨＤＤ）ユニットを、着脱可能に取り付けるための構造であって、耐振性の余裕度を向上させた防振構造が開示されている。かかる防振構造においては、振動に弱いＨＤＤユニットを電子機器のホルダに装着する部分に、振動を減衰させる振動減衰手段（防振ゴムなど）を設け、ホルダを案内部材によって筐体内の収容位置に案内し、電気的な接続を行って、ＨＤＤユニットを電子機器の内部構成要素として電気的に動作させる。
【先行技術文献】
【特許文献】
【０００５】
【特許文献１】特開２００３−３１４６１３号公報
【発明の概要】
【発明が解決しようとする課題】
【０００６】
しかしながら、特許文献１の構成では、ユーザが自ら、ＨＤＤユニットを電子機器のホルダに着脱しなければならず、煩雑な作業が強いられるという問題がある。また、ＨＤＤユニットと電子機器との間に振動減衰手段を設けるだけでは、耐振性が十分でないという問題もある。さらに、情報端末については、車内の限られたスペースに、可能な限りコンパクトに収容したいとの要望もある。
【０００７】
本発明は、以上説明した事情を鑑みてなされたものであり、十分な耐振性を有しながらも、車内の限られたスペースに情報端末を収容することができ、かつ、当該情報端末を車内の電子機器に簡易かつ確実に接続することが可能な車載固定構造を提供することを目的の一つとする。
【課題を解決するための手段】
【０００８】
本発明の一実施形態に係る車載固定構造は、天井裏に設けられたハウジング部と、ハウジング部に情報端末を収容するためのブラケットと、ハウジング部へのブラケットの収容または引き出しを規制するシャッタと、情報端末を検知する検知センサと、コントローラとを備えた車載固定構造であって、コントローラは、ハウジング部に収容されたブラケットを天井裏から引き出す第１制御部と、検知センサによって、ブラケットに情報端末が収容されたことが検知された場合に、引き出されたブラケットを天井裏に戻してシャッタを閉鎖した後、情報端末の後端部に向けて、外部機器のコネクタを押し込むことで、情報端末と外部機器とを接続する第２制御部とを具備することを要旨とする。
【０００９】
上記構成において、第１制御部は、車載固定構造が搭載された車の起動指示が入力された場合、またはユーザによって前記シャッタの開放指示が入力された場合に、ハウジング部に収容されたブラケットを天井裏から引き出す構成としてもよい。
【００１０】
上記構成において、ブラケットは、情報端末の側面及び上面を規制するガイドレールと、ユーザによる情報端末の押し込みを規制するストッパと、情報端末の後端部がストッパに当接したことを契機として、情報端末を搬入方向に向けて自動搬送する搬送機構とを具備する構成としてもよい。
【発明の効果】
【００１１】
本発明によれば、十分な耐振性を有しながらも、車内の限られたスペースに情報端末を収容することができ、かつ、当該情報端末を車内の電子機器に簡易かつ確実に接続することが可能となる。
【図面の簡単な説明】
【００１２】
【図１】本実施形態に係る車載固定構造の外観を示す図である。
【図２】車載固定構造の概略構成を示す図である。
【図３】カード型ＰＣと外部機器との位置関係を例示した図である。
【図４】車載固定構造の要部を断面からみた模式図である。
【図５】車載固定構造を断面から見た模式図である。
【図６】車載固定構造を正面から見た模式図である。
【図７】固定処理フローである。
【図８】解除処理フローである。
【図９】スティック型ＰＣを例示した図である。
【発明を実施するための形態】
【００１３】
以下、本発明の実施形態について図面を参照しつつ詳細に説明する。なお、以下の説明において同一の要素には同一の符号を付し、重複する説明を省略する。
【００１４】
Ａ．本実施形態
図１は、本実施形態に係る天井ビルトインタイプの車載固定構造１０００の外観を示す図である。車載固定構造１０００は、ユーザ（例えば、ドライバなど）の運転等に邪魔にならない箇所、例えば助手席側の天井１１などに設けられている。なお、以下の説明では、車載固定構造１０００を利用して、スティック型パソコン（以下、「スティック型ＰＣ」ともいう。）やカード型パソコン（以下、「カード型ＰＣ」ともいう。）などを車内に固定する態様を例示するが、これに限る趣旨ではなく、例えばタブレット端末やウェアラブル端末、ノートパソコンなど、様々な情報端末を車内に固定する態様にも適用可能である。
【００１５】
図２は、車載固定構造１０００の概略構成を示す図である。車載固定構造１０００に収容されるカード型ＰＣ１０は、たとえば本体サイズがＷ；９４５ｍｍ、Ｄ；５５ｍｍ、Ｈ；５ｍｍで設計されており、ＣＰＵやＲＯＭ、ＲＡＭなどを備えたプロセッサ、各種メモリやストレージ、各種無線通信装置（Ｗｉ−Ｆｉや、Ｂｌｕｅｔｏｏｔｈ（登録商標）など）を備えて構成される。
【００１６】
車載固定構造１０００は、天井裏１１０に設けられたハウジング部１００、ハウジング部１００にカード型ＰＣ１０を収容・支持するためのブラケット２００、カード検知センサ３００、コントローラ４００などを備えている。ブラケット２００は、図２に示すように、カード型ＰＣ１０の長手方向に沿って設けられた固定ガイド５００を備えている。固定ガイド５００は、断面からみて略逆Ｌ字形状の１対の固定ガイド５００（例えば左側の金属製ガイド及び右側の金属製ガイド）によって構成されている。
【００１７】
カード型ＰＣ１０は、通信インタフェースを介して外部機器６００と接続される。図３は、カード型ＰＣ１０と外部機器６００との位置関係を例示した図である。カード型ＰＣ１０の後面部Ｂｓには、通信インタフェースとしてコネクタ規格に準拠したＵＳＢ Ｔｙｐｅ−ＣのコネクタＣ１が設けられ、外部機器６００には、カード型ＰＣ１０と接続するためのコネクタＣ２が設けられている。本実施形態では、外部機器６００としてカーナビゲーション装置などを想定するが、液晶パネルやモバイル端末など、カード型ＰＣ１０と接続可能なあらゆる電子機器に適用可能である。
【００１８】
カード検知センサ３００は、カード型ＰＣ１０を検知するセンサである。詳述すると、カード検知センサ３００は、カード型ＰＣ１０が、ブラケット２００のストッパ（図示略）に当たる位置（以下、「当接位置」ともいう。）まで押し込まれたか否か、さらには、カード型ＰＣ１０が、ブラケット２００の後端まで押し込まれたか否か等を検知する。カード検知センサ３００として、例えば質量検知センサや赤外線センサなどを利用することもできるが、様々なカメラ（ＣＭＯＳカメラなど）を利用してもよい。カード検知センサ３００としてカメラを利用する場合には、単に、カード型ＰＣ１０がブラケット２００に押し込まれたか否かを検知するだけでなく、カード型ＰＣ１０がブラケット２００に正しい向きで押し込まれたか（すなわち、カード型ＰＣ１０の後面部Ｂｓが、外部機器６００のコネクタＣ２に対向するように押し込まれたか）、カード型ＰＣ１０の表裏が間違っていないか、さらにはカード型ＰＣ１０の種類が正しいか等を検知できる。
【００１９】
コントローラ４００は、ＣＰＵ、ＲＯＭ、ＲＡＭなどを主要構成部品とするＭＣＵ（Micro Control Unit）などを備えており、ＲＯＭやＲＡＭに格納された各種プログラム等を実行することにより、車載固定構造１０００の各部を統括的に制御する。
【００２０】
図４は、車載固定構造１０００の要部を断面からみた模式図であり、使用前の状態を示している。
図４に示すように、使用前の状態においては、天井裏１１０のハウジング部１００にブラケット２００が収容される。ハウジング部１００の下方には、ブラケット２００の収容または引き出しを規制するシャッタ２５０が設けられている。すなわち、シャッタ２５０が閉鎖されることで、ハウジング部１００にブラケット２００が収容可能となる一方、シャッタ２５０が開放されることで、ハウジング部１００に収容されたブラケット２００が下側（すなわち、車内側）に引き出し可能となっている。シャッタ２５０の開閉動作は、コントローラ４００によって制御される。なお、本実施形態では、ブラケット２００の後端が車両前方Ｆｄに向けられる構成としたが、車両後方Ｂｄに向けられる構成としてもよい。
【００２１】
以下、ハウジング部１００にカード型ＰＣ１０を収容してから、カード型ＰＣ１０を外部機器６００に接続するまでの流れについて、図５〜図７を参照しながら説明する。
図５は、車載固定構造１０００を断面から見た模式図、図６は、車載固定構造１０００を正面からみた模式図、図７は、コントローラ４００によって実行される固定処理フローである。
【００２２】
車両が起動される前は、閉鎖されたシャッタ２５０により、ブラケット２００はハウジング部１００内に収容された状態を維持する（図５のＡ及び図６のＡ参照）。その後、ユーザが車両に乗り込み、イグニッションスイッチを操作するなどして車両の起動指示が入力されると、コントローラ（第１制御部）４００は、シャッタ２５０を開放し、ハウジング部１００内に収容されたブラケット２００を、車内側に引き出す（ステップＳ１００；図５のＢ及び図６のＢ参照）。本実施形態では、車両の起動指示を契機として、ブラケット２００を引き出す構成としたが、例えば、ユーザのボタン操作によるシャッタ２５０の開放指示を契機として、ブラケット２００を引き出す構成としてもよい。
【００２３】
ユーザは、カード型ＰＣ１０を手動で挿入していく（図５のＣ及び図６のＣ参照）。コントローラ４００は、カード検知センサ３００から送信される信号に基づき、挿入されたカード型ＰＣ１０がストッパに当接する位置（当接位置）まで押し込まれたことを検知すると（ステップＳ２００；図５のＣ参照）、図示せぬ搬送機構を利用して、カード型ＰＣ１０の自動搬送を開始する（ステップＳ３００）。そして、コントローラ４００は、カード検知センサ３００から送信される信号に基づき、カード型ＰＣ１０がブラケット２００の後端Ｂｅまで押し込まれたか否かの検出を開始する（ステップＳ４００；図５のＤ参照）。コントローラ４００は、カード検知センサ３００から、カード型ＰＣ１０が後端Ｂｅまで押し込まれた旨の検知信号を受信しない場合には（ステップＳ４００；ＮＯ）、ステップＳ４００の処理を繰り返し実行する。
【００２４】
その後、コントローラ（第２制御部）４００は、カード検知センサ３００から、カード型ＰＣ１０が後端Ｂｅまで押し込まれた旨の検知信号を受信すると（ステップＳ４００；ＹＥＳ）、搬送機構によるカード型ＰＣ１０の自動搬送を終了するとともに（ステップＳ５００；図５のＤ及び図６のＤ参照）、車両側に引き出されたブラケット２００をハウジング部１００に戻す処理（すなわち、ブラケット２００を天井裏１１０に戻す処理）を開始する。その後、コントローラ（第２制御部）４００は、ハウジング部１００にブラケット２００が戻されたことを確認すると、開いていたシャッタ２５０を閉鎖し、ハウジング部１００にカード型ＰＣ１０を収容する（ステップＳ６００；図５のＥ及び図６のＥ参照）。なお、コントローラ４００は、ユーザによってイグニッションスイッチがオフ等された場合に、車両側に引き出されたブラケット２００をハウジング部１００に戻す処理を開始してもよい。
【００２５】
コントローラ（第２制御部）４００は、カード型ＰＣ１０をハウジング部１００に収容して固定すると、カード型ＰＣ１０の後面部に設けられたコネクタＣ１に向けて外部機器６００のコネクタＣ２を移動させることで、カード型PC１０と外部機器６００とを嵌合させ、コネクタ接続することを試みる（ステップＳ７００；図５のＥ参照）。コントローラ４００は、カード型ＰＣ１０と外部機器６００のコネクタ接続に成功すると（ステップＳ７００；ＹＥＳ）、以上説明した処理を終了する。
【００２６】
一方、コントローラ４００は、何らかの要因（例えば、カード型ＰＣ１０の向きが正しくない、表裏が逆である、カードの種類が異なるなど）によってカード型PC１０と外部機器６００のコネクタ接続に失敗すると（ステップＳ７００；ＮＯ）、エラーランプを点滅する、あるいは音声によるエラーメッセージを出力する（ステップＳ８００）。そして、コントローラ４００は、シャッタ２５０を開いた後（すなわち開放した後）、ブラケット２００を引き出し、搬送機構を逆回転させる等により、カード型ＰＣ１０を排出し（ステップＳ９００）、初期状態に戻したうえでステップＳ１００に戻る。ユーザは、エラーメッセージ等に従って、排出されたカード型ＰＣ１０を取り出し、カード型ＰＣ１０を正しい向き等にしたうえでブラケット２００に入れ直す。コントローラ４００は、挿入されたカード型ＰＣ１０がストッパに当接する位置まで押し込まれたことを検知すると（ステップＳ２００）、搬送機構によるカード型ＰＣ１０の自動搬送を開始する（ステップＳ３００）。なお、この後の動作については、上述した一連の処理と同様に説明することができるため、割愛する。
【００２７】
以上説明したように、本実施形態によれば、天井ビルトインタイプの車載固定構造１０００を採用することで、車内の限られたスペースにカード型ＰＣ１０を収容することが可能となる。また、車載固定構造１０００に収容されたカード型ＰＣ１０は、断面視略逆Ｌ字形状の固定ガイド５００を備えたブラケット２００によって、側面及び上面が規制されるため、振動を抑制することが可能となる。また、本実施形態によれば、カード型ＰＣ１０のコネクタＣ１に向けて、外部機器６００のコネクタＣ２を移動させることで、カード型ＰＣ１０と外部機器６００を確実に接続するため、コネクタ接続が不完全であったためにコネクタ外れなどが生じるといった問題を未然に防ぐことが可能となる。
【００２８】
Ｂ．応用例
上記実施形態では、カード型ＰＣ１０と外部機器６００とを接続する場合について説明したが、カード型ＰＣ１０と外部機器６００との接続を解除（リリース）する場合の動作についても同様に説明することができる。
【００２９】
図８は、コントローラ４００によって実行される解除処理フローである。
コントローラ４００は、カード型ＰＣ１０と外部機器６００との接続をリリースすべきコマンドを受信すると（ステップＳ１１０）、外部機器６００のコネクタＣ２をカード型ＰＣ１０から外す（ステップＳ１２０）。
【００３０】
そして、コントローラ４００は、シャッタ２５０を開いた後、ブラケット２００を引き出し、搬送機構を逆回転させる等により、カード型ＰＣ１０を排出し（ステップＳ１３０、車載固定構造１０００を初期状態に戻したうえで、処理を終了する。なお、カード型ＰＣ１０と外部機器６００との接続をリリースすべきコマンドは、例えばＡＣＣ電源がＯＦＦされた場合や、ユーザによって所定の操作が行われた場合にコントローラ４００に出力されるように構成すればよい。
【００３１】
Ｃ．その他
本発明は、上述した実施形態及び変形例に限定されるものではなく、本発明の要旨を逸脱しない範囲内において、他の様々な形で実施することができる。
【００３２】
上記実施形態では、図１に示すようなカード型ＰＣ１０を固定する場合について説明したが、図９に示すようなスティック型ＰＣ１０を固定する場合にも同様に説明することができる。スティック型ＰＣ１０の後面部Ｂｓには、例えばＨＤＭＩ（登録商標）（High-Definition Multimedia Interface）に準拠したコネクタＣ１が設けられている。外部機器６００には、ＨＤＭＩ（登録商標）に準拠したコネクタＣ２が設けられている。スティック型ＰＣ１０のコネクタＣ１に向けて外部機器６００のコネクタＣ２を移動し、スティック型ＰＣ１０と外部機器６００とを嵌合させることで、確実に接続することが可能となる。なお、上記例では、カード型ＰＣ１０やスティック型ＰＣ１０の後面部にコネクタＣ１が設けられる態様を例示したが、後面部以外にコネクタＣ１が設けられる態様であってもよい。
【００３３】
また、上記実施形態では、ブラケット２００を構成する固定ガイド５００として、カード型ＰＣ１０の上面の一部を覆う一対の金属製ガイドを例示したが、例えばカード型ＰＣ１０の上面の全体を覆う一対の金属製ガイドを設けてもよい。
【００３４】
また、天井ビルトインタイプの車載固定構造１０００を採用した場合には、何らかの理由（例えば異物混入など）により、ハウジング部１００内に収容したカード型ＰＣ１０が正常に取り出せない状況が生じ得る。このような状況に対応するべく、カード型ＰＣ１０の非常時取り出し機能を車載固定構造１０００に採用してもよい。具体的には、手動で搬送ローラを回転させることができる搬送機構（以下、このような機能を「強制排出機能」と呼ぶ。）を車載固定構造１０００に設ける。ハウジング部１００内に収容したカード型ＰＣ１０が正常に取り出せない状況が生じた場合には、搬送機構の強制排出機能を利用し、手動で搬送ローラを回転させることで、ハウジング部１００内に収容されているカード型ＰＣ１０を強制的に排出することが可能となる。
【００３５】
本明細書において上述した各処理におけるステップは、処理内容に矛盾を生じない範囲で任意に順番を変更し、または並列に実行することができる。
【００３６】
本明細書において説明した各処理を実施するプログラムは、記録媒体に記憶させてもよい。この記録媒体を用いれば、車載固定構造１０００を構成するコンピュータに、上記プログラムをインストールすることができる。ここで、上記プログラムを記憶した記録媒体は、非一過性の記録媒体であっても良い。非一過性の記録媒体は特に限定されないが、例えば、ＣＤ−ＲＯＭ等の記録媒体であっても良い。
【符号の説明】
【００３７】
１０００…車載固定構造、１０…カード型ＰＣ，スティック型ＰＣ、１１…天井、１００…ハウジング部、１１０…天井裏、２００…ブラケット、２５０…シャッタ、３００…カード検知センサ、４００…コントローラ、５００…固定ガイド、６００…外部機器、Ｃ１，Ｃ２…コネクタ、Ｂｓ…後面部、Ｂｅ…後端。
【図１】
2019142251.tif 000003
【図２】
2019142251.tif 000004
【図３】
2019142251.tif 000005
【図４】
2019142251.tif 000006
【図５】
2019142251.tif 000007
【図６】
2019142251.tif 000008
【図７】
2019142251.tif 000009
【図８】
2019142251.tif 000010
【図９】
2019142251.tif 000011